【手続補正書】
【提出日】平成16年1月26日(2004.1.26)
【手続補正１】
【補正対象書類名】明細書
【補正対象項目名】発明の名称
【補正方法】変更
【補正の内容】
【発明の名称】電子機器制御装置、電子機器制御方法、および電子機器
【手続補正２】
【補正対象書類名】明細書
【補正対象項目名】特許請求の範囲
【補正方法】変更
【補正の内容】
【特許請求の範囲】
【請求項１】
ネットワークを介して１以上の電子機器が接続される電子機器制御装置において、
前記ネットワークを介して前記電子機器と通信する通信手段と、
前記電子機器に対して、前記電子機器が有する、入力と出力の少なくとも一方を備えた機能単位の情報の伝送を要求する要求手段と、
前記電子機器から前記ネットワークを介して伝送されてきた前記機能単位の情報を記憶する第１の記憶手段と、
前記第１の記憶手段に記憶されている前記機能単位を１以上まとめて機能グループを形成する形成手段と、
前記形成手段によって形成された前記機能グループの情報を記憶する第２の記憶手段と
を備えることを特徴とする電子機器制御装置。
【請求項２】
前記第１の記憶手段に記憶されている前記機能単位の情報と、前記第２の記憶手段に記憶されている前記機能グループの情報とを表示させるために出力する出力手段をさらに備える
ことを特徴とする請求項１に記載の電子機器制御装置。
【請求項３】
前記機能単位または前記機能グループの情報の中から、少なくとも１つを選択する選択手段をさらに備える
ことを特徴とする請求項１に記載の電子機器制御装置。
【請求項４】
前記機能単位が情報の送信側として選択され、前記機能グループが情報の受信側として選択された場合、前記機能単位から送信された情報は、前記機能グループを形成する全ての機能単位に分配される
ことを特徴とする請求項３に記載の電子機器制御装置。
【請求項５】
前記選択手段は、表示されている前記機能単位または前記機能グループの情報の１つから、他の１つに対して、ドラッグアンドドロップすることで、前記選択を行う
ことを特徴とする請求項３に記載の電子機器制御装置。
【請求項６】
選択された前記機能単位または前記機能グループを構成する各機能単位に所定の処理を実行させるためのコマンドを生成する生成手段と、
生成された前記コマンドを前記ネットワークに出力する出力手段とをさらに備える
ことを特徴とする請求項３に記載の電子機器制御装置。
【請求項７】
前記生成手段は、前記コマンドに、所定の前記機能単位が所定の処理を行った後、次に処理を行う前記機能単位を指定する指定情報を含める  ことを特徴とする請求項６に記載の電子機器制御装置。
【請求項８】
前記指定情報は、前記機能グループを構成する各機能単位を全て指定するグループ指定情報を含んでいる
ことを特徴とする請求項７に記載の電子機器制御装置。
【請求項９】
前記電子機器が、前記コマンドに対応する処理を終了したとき発生する終了情報を確認する確認手段をさらに備える
ことを特徴とする請求項６に記載の電子機器制御装置。
【請求項１０】
前記電子機器は、ＡＶ機器であり、
前記ネットワークは、1394ネットワークである
ことを特徴とする請求項１に記載の電子機器制御装置。
【請求項１１】
ネットワークを介して１以上の電子機器が接続される電子機器制御方法において、
前記ネットワークを介して前記電子機器と通信する通信ステップと、
前記電子機器に対して、前記電子機器が有する、入力と出力の少なくとも一方を備えた機能単位の情報の伝送を要求する要求ステップと、
前記電子機器から前記ネットワークを介して伝送されてきた前記機能単位の情報を記憶する第１の記憶ステップと、
前記第１の記憶ステップに記憶されている前記機能単位を１以上まとめて機能グループを形成する形成ステップと、
前記形成ステップによって形成された前記機能グループの情報を記憶する第２の記憶ステップと
を備えることを特徴とする電子機器制御方法。
【請求項１２】
ネットワークを介して電子機器制御装置に接続される電子機器において、
前記ネットワークを介して前記電子機器制御装置と通信する通信手段と、
自分自身が有する、入力と出力の少なくとも一方を備えた機能単位の情報を記憶する第１の記憶手段と、
前記電子機器制御装置から、前記機能単位の情報の伝送の要求を受けたとき、前記機能単位の情報を前記電子機器制御装置に伝送する伝送手段と、
前記電子機器制御装置から、自己が所属する機能グループの情報を受けたとき、前記機能グループの情報を記憶する第２の記憶手段と
を備えることを特徴とする電子機器。
【請求項１３】
前記電子機器制御装置から、コマンドが伝送されてきたとき、そのコマンドに含まれている指定情報を抽出する抽出手段と、
前記抽出手段によって抽出された前記指定情報にグループ指定情報が含まれている場合には、前記第２の記憶手段に記憶されている前記機能グループの情報と比較する比較手段と、
前記比較手段の比較結果に応じて、前記コマンドを実行する実行手段と
を備えること特徴とする請求項１２に記載の電子機器。
【請求項１４】
前記コマンドに対応する処理が終了したとき、処理の結果得られたデータを、前記電子機器制御装置からのコマンドに付加して、次の前記電子機器に出力する出力手段をさらに備える
ことを特徴とする請求項１３に記載の電子機器。
【請求項１５】
前記出力手段は、次の電子機器が存在しない場合、前記コマンドに対応する処理が終了したとき、処理の終了を前記電子機器制御装置に通知する
ことを特徴とする請求項１４に記載の電子機器。
【請求項１６】
ネットワークを介して電子機器制御装置に接続される電子機器の電子機器制御方法において、
前記ネットワークを介して前記電子機器制御装置と通信する通信ステップと、  自分自身が有する、入力と出力の少なくとも一方を備えた機能単位の情報を記憶する第１の記憶ステップと、
前記電子機器制御装置から、前記機能単位の情報の伝送の要求を受けたとき、前記機能単位の情報を前記電子機器制御装置に伝送する伝送ステップと、
前記電子機器制御装置から、自己が所属する機能グループの情報を受けたとき、前記機能グループの情報を記憶する第２の記憶ステップと
を備えることを特徴とする電子機器制御方法。
【請求項１７】
ネットワークを介して相互に接続される第１の電子機器と、前記第１の電子機器を制御する第２の電子機器とにより構成される電子機器制御装置において、
前記第１の電子機器は、
前記ネットワークを介して前記第２の電子機器と通信する第１の通信手段と、
前記第２の電子機器に対して、前記第１の電子機器が有する、入力と出力の少なくとも一方を備えた機能単位の情報の伝送を要求する要求手段と、
前記第２の電子機器から前記ネットワークを介して伝送されてきた前記機能単位の情報を記憶する第１の記憶手段と、
前記第１の記憶手段に記憶されている前記機能単位を１以上まとめて機能グループを形成する形成手段と、
前記形成手段によって形成された前記機能グループの情報を記憶する第２の記憶手段と
を備え、
前記第２の電子機器は、
前記ネットワークを介して前記第１の電子機器と通信する第２の通信手段と、
自分自身が有する、入力と出力の少なくとも一方を備えた機能単位の情報を記憶する第３の記憶手段と、
前記第１の電子機器から、前記機能単位の情報の伝送の要求を受けたとき、前記機能単位の情報を前記第１の電子機器に伝送する伝送手段と、
前記第１の電子機器から、自己が所属する機能グループの情報を受けたとき、前記機能グループの情報を記憶する第４の記憶手段と
を備えることを特徴とする電子機器制御装置。
【請求項１８】
ネットワークを介して相互に接続される第１の電子機器と、前記第１の電子機器を制御する第２の電子機器とにより構成される電子機器制御装置の電子機器制御方法において、
前記第１の電子機器は、
前記ネットワークを介して前記第２の電子機器と通信する第１の通信ステップと、
前記第２の電子機器に対して、前記第１の電子機器が有する、入力と出力の少なくとも一方を備えた機能単位の情報の伝送を要求する要求ステップと、
前記第２の電子機器から前記ネットワークを介して伝送されてきた前記機能単位の情報を記憶する第１の記憶ステップと、
前記第１の記憶ステップに記憶されている前記機能単位を１以上まとめて機能グループを形成する形成ステップと、
前記形成ステップによって形成された前記機能グループの情報を記憶する第２の記憶ステップと
を備え、
前記第２の電子機器は、
前記ネットワークを介して前記第１の電子機器と通信する第２の通信ステップと、
自分自身が有する、入力と出力の少なくとも一方を備えた機能単位の情報を記憶する第３の記憶ステップと、
前記第１の電子機器から、前記機能単位の情報の伝送の要求を受けたとき、前記機能単位の情報を前記第１の電子機器に伝送する伝送ステップと、
前記第１の電子機器から、自己が所属する機能グループの情報を受けたとき、前記機能グループの情報を記憶する第４の記憶ステップと
を備えることを特徴とする電子機器制御方法。
【請求項１９】
ネットワークを介して１以上の電子機器が接続される電子機器制御装置において、
前記ネットワークを介して前記電子機器と通信する通信手段と、
前記電子機器を同時に複数指定する指定情報を含むコマンドを生成する生成手段と、
生成された前記コマンドを前記ネットワークに出力する出力手段と
を備えることを特徴とする電子機器制御装置。
【請求項２０】
ネットワークを介して１以上の電子機器が接続される電子機器制御装置の電子機器制御方法において、
前記ネットワークを介して前記電子機器と通信する通信ステップと、
前記電子機器を同時に複数指定する指定情報を含むコマンドを生成する生成ステップと、
生成された前記コマンドを前記ネットワークに出力する出力ステップと
を備えることを特徴とする電子機器制御方法。
【請求項２１】
ネットワークを介して電子機器制御装置に接続される電子機器において、
前記ネットワークを介して前記電子機器制御装置と通信する通信手段と、
前記電子機器制御装置から、電子機器を同時に複数指定する指定情報を含むコマンドを受信した場合、その指定情報を抽出する抽出手段と、
前記抽出手段によって抽出された前記指定情報によって、自分自身が指定されているか否かを判定する判定手段と、
前記判定手段の判定結果に応じて、前記コマンドに対応する処理を行う処理手段と
を備えることを特徴とする電子機器。
【請求項２２】
ネットワークを介して電子機器制御装置に接続される電子機器の電子機器制御方法において、
前記ネットワークを介して前記電子機器制御装置と通信する通信ステップと、  前記電子機器制御装置から、電子機器を同時に複数指定する指定情報を含むコマンドを受信した場合、その指定情報を抽出する抽出ステップと、
前記抽出ステップによって抽出された前記指定情報によって、自分自身が指定されているか否かを判定する判定ステップと、
前記判定ステップの判定結果に応じて、前記コマンドに対応する処理を行う処理ステップと
を備えることを特徴とする電子機器制御方法。
【請求項２３】
ネットワークを介して相互に接続される第１の電子機器と、前記第１の電子機器を制御する第２の電子機器とにより構成される電子機器制御装置において、
前記第１の電子機器は、
前記ネットワークを介して前記第２の電子機器と通信する第１の通信手段と、
前記第２の電子機器を同時に複数指定する指定情報を含むコマンドを生成する生成手段と、
生成された前記コマンドを前記ネットワークに出力する出力手段と
を備え、
前記第２の電子機器は、
前記ネットワークを介して前記第１の電子機器と通信する第２の通信手段と、
前記第１の電子機器から、第２の電子機器を同時に複数指定する指定情報を含むコマンドを受信した場合、その指定情報を抽出する抽出手段と、
前記抽出手段によって抽出された前記指定情報によって、自分自身が指定されているか否かを判定する判定手段と、
前記判定手段の判定結果に応じて、前記コマンドに対応する処理を行う処理手段と
を備えることを特徴とする電子機器制御装置。
【請求項２４】
ネットワークを介して相互に接続される第１の電子機器と、前記第１の電子機器を制御する第２の電子機器とにより構成される電子機器制御装置の電子機器制御方法において、
前記第１の電子機器は、
前記ネットワークを介して前記第２の電子機器と通信する第１の通信ステップと、
前記第２の電子機器を同時に複数指定する指定情報を含むコマンドを生成する生成ステップと、
生成された前記コマンドを前記ネットワークに出力する出力ステップと
を備え、
前記第２の電子機器は、
前記ネットワークを介して前記第１の電子機器と通信する第２の通信ステップと、
前記第１の電子機器から、第２の電子機器を同時に複数指定する指定情報を含むコマンドを受信した場合、その指定情報を抽出する抽出ステップと、
前記抽出ステップによって抽出された前記指定情報によって、自分自身が指定されているか否かを判定する判定ステップと、
前記判定ステップの判定結果に応じて、前記コマンドに対応する処理を行う処理ステップと
を備えることを特徴とする電子機器制御方法。
【手続補正３】
【補正対象書類名】明細書
【補正対象項目名】０００１
【補正方法】変更
【補正の内容】
【０００１】
【発明の属する技術分野】
本発明は、電子機器制御装置、電子機器制御方法、および電子機器に関し、特に、ネットワークを介して接続されている電子機器をグループ化し、各グループ単位で制御を行うことを可能とした電子機器制御装置、電子機器制御方法、および電子機器に関する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項１２に記載の電子機器は、ネットワークを介して電子機器制御装置と通信する通信手段と、自分自身が有する、入力と出力の少なくとも一方を備えた機能単位の情報を記憶する第１の記憶手段と、電子機器制御装置から、機能単位の情報の伝送の要求を受けたとき、機能単位の情報を電子機器制御装置に伝送する伝送手段と、電子機器制御装置から、自己が所属する機能グループの情報を受けたとき、機能グループの情報を記憶する第２の記憶手段とを備えることを特徴とする。


【手続補正６】
【補正対象書類名】明細書
【補正対象項目名】００１２
【補正方法】変更
【補正の内容】
【００１２】
請求項１６に記載の電子機器制御方法は、ネットワークを介して電子機器制御装置と通信する通信ステップと、自分自身が有する、入力と出力の少なくとも一方を備えた機能単位の情報を記憶する第１の記憶ステップと、電子機器制御装置から、機能単位の情報の伝送の要求を受けたとき、機能単位の情報を電子機器制御装置に伝送する伝送ステップと、電子機器制御装置から、自己が所属する機能グループの情報を受けたとき、機能グループの情報を記憶する第２の記憶ステップとを備えることを特徴とする。


【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項１７に記載の電子機器制御装置は、第１の電子機器は、ネットワークを介して第２の電子機器と通信する第１の通信手段と、第２の電子機器に対して、第１の電子機器が有する、入力と出力の少なくとも一方を備えた機能単位の情報の伝送を要求する要求手段と、第２の電子機器からネットワークを介して伝送されてきた機能単位の情報を記憶する第１の記憶手段と、第１の記憶手段に記憶されている機能単位を１以上まとめて機能グループを形成する形成手段と、形成手段によって形成された機能グループの情報を記憶する第２の記憶手段とを備え、第２の電子機器は、ネットワークを介して第１の電子機器と通信する第２の通信手段と、自分自身が有する、入力と出力の少なくとも一方を備えた機能単位の情報を記憶する第３の記憶手段と、第１の電子機器から、機能単位の情報の伝送の要求を受けたとき、機能単位の情報を第１の電子機器に伝送する伝送手段と、第１の電子機器から、自己が所属する機能グループの情報を受けたとき、機能グループの情報を記憶する第４の記憶手段とを備えることを特徴とする。


【手続補正９】
【補正対象書類名】明細書
【補正対象項目名】００１５
【補正方法】変更
【補正の内容】
【００１５】
請求項１８に記載の電子機器制御方法は、第１の電子機器は、ネットワークを介して第２の電子機器と通信する第１の通信ステップと、第２の電子機器に対して、第１の電子機器が有する、入力と出力の少なくとも一方を備えた機能単位の情報の伝送を要求する要求ステップと、第２の電子機器からネットワークを介して伝送されてきた機能単位の情報を記憶する第１の記憶ステップと、第１の記憶ステップに記憶されている機能単位を１以上まとめて機能グループを形成する形成ステップと、形成ステップによって形成された機能グループの情報を記憶する第２の記憶ステップとを備え、第２の電子機器は、ネットワークを介して第１の電子機器と通信する第２の通信ステップと、自分自身が有する、入力と出力の少なくとも一方を備えた機能単位の情報を記憶する第３の記憶ステップと、第１の電子機器から、機能単位の情報の伝送の要求を受けたとき、機能単位の情報を第１の電子機器に伝送する伝送ステップと、第１の電子機器から、自己が所属する機能グループの情報を受けたとき、機能グループの情報を記憶する第４の記憶ステップとを備えることを特徴とする。


【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
請求項１９に記載の電子機器制御装置は、ネットワークを介して電子機器と通信する通信手段と、電子機器を同時に複数指定する指定情報を含むコマンドを生成する生成手段と、生成されたコマンドをネットワークに出力する出力手段とを備えることを特徴とする。


【手続補正１２】
【補正対象書類名】明細書
【補正対象項目名】００１８
【補正方法】変更
【補正の内容】
【００１８】
請求項２０に記載の電子機器制御方法は、ネットワークを介して電子機器と通信する通信ステップと、電子機器を同時に複数指定する指定情報を含むコマンドを生成する生成ステップと、生成されたコマンドをネットワークに出力する出力ステップとを備えることを特徴とする。


【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
請求項２１に記載の電子機器は、ネットワークを介して電子機器制御装置と通信する通信手段と、電子機器制御装置から、電子機器を同時に複数指定する指定情報を含むコマンドを受信した場合、その指定情報を抽出する抽出手段と、抽出手段によって抽出された指定情報によって、自分自身が指定されているか否かを判定する判定手段と、判定手段の判定結果に応じて、コマンドに対応する処理を行う処理手段とを備えることを特徴とする。


【手続補正１５】
【補正対象書類名】明細書
【補正対象項目名】００２１
【補正方法】変更
【補正の内容】
【００２１】
請求項２２に記載の電子機器制御方法は、ネットワークを介して電子機器制御装置と通信する通信ステップと、電子機器制御装置から、電子機器を同時に複数指定する指定情報を含むコマンドを受信した場合、その指定情報を抽出する抽出ステップと、抽出ステップによって抽出された指定情報によって、自分自身が指定されているか否かを判定する判定ステップと、判定ステップの判定結果に応じて、コマンドに対応する処理を行う処理ステップとを備えることを特徴とする。


【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
請求項２３に記載の電子機器制御装置は、第１の電子機器は、ネットワークを介して第２の電子機器と通信する第１の通信手段と、第２の電子機器を同時に複数指定する指定情報を含むコマンドを生成する生成手段と、生成されたコマンドをネットワークに出力する出力手段とを備え、第２の電子機器は、ネットワークを介して第１の電子機器と通信する第２の通信手段と、第１の電子機器から、第２の電子機器を同時に複数指定する指定情報を含むコマンドを受信した場合、その指定情報を抽出する抽出手段と、抽出手段によって抽出された指定情報によって、自分自身が指定されているか否かを判定する判定手段と、判定手段の判定結果に応じて、コマンドに対応する処理を行う処理手段とを備えることを特徴とする。


【手続補正１８】
【補正対象書類名】明細書
【補正対象項目名】００２４
【補正方法】変更
【補正の内容】
【００２４】
請求項２４に記載の電子機器制御方法は、第１の電子機器は、ネットワークを介して第２の電子機器と通信する第１の通信ステップと、第２の電子機器を同時に複数指定する指定情報を含むコマンドを生成する生成ステップと、生成されたコマンドをネットワークに出力する出力ステップとを備え、第２の電子機器は、ネットワークを介して第１の電子機器と通信する第２の通信ステップと、第１の電子機器から、第２の電子機器を同時に複数指定する指定情報を含むコマンドを受信した場合、その指定情報を抽出する抽出ステップと、抽出ステップによって抽出された指定情報によって、自分自身が指定されているか否かを判定する判定ステップと、判定ステップの判定結果に応じて、コマンドに対応する処理を行う処理ステップとを備えることを特徴とする。


【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
請求項１に記載の電子機器制御装置および請求項１１に記載の電子機器制御方法においては、ネットワークを介して電子機器と通信し、電子機器に対して、電子機器が有する、入力と出力の少なくとも一方を備えた機能単位の情報の伝送を要求し、電子機器からネットワークを介して伝送されてきた機能単位の情報を記憶し、記憶されている機能単位を１以上まとめて機能グループを形成し、形成された機能グループの情報を記憶する。例えば、1394ネットワークを介して電子機器と通信し、電子機器に対して、電子機器が有する、入力と出力の少なくとも一方を備えた機能単位の入出力フォーマットの情報の伝送を要求し、電子機器からネットワークを介して伝送されてきた機能単位の情報を記憶し、記憶されている機能単位を１以上まとめて機能グループを形成し、形成された機能グループの情報を記憶する。


【手続補正２１】
【補正対象書類名】明細書
【補正対象項目名】００２７
【補正方法】変更
【補正の内容】
【００２７】
請求項１２に記載の電子機器および請求項１６に記載の電子機器制御方法においては、ネットワークを介して電子機器制御装置と通信し、自分自身が有する、入力と出力の少なくとも一方を備えた機能単位の情報を記憶し、電子機器制御装置から、機能単位の情報の伝送の要求を受けたとき、機能単位の情報を電子機器制御装置に伝送し、電子機器制御装置から、自己が所属する機能グループの情報を受けたとき、機能グループの情報を記憶する。例えば、1394ネットワークを介して、パーソナルコンピュータである電子機器制御装置と通信し、自分自身が有する、入力と出力の少なくとも一方を備えた機能単位の情報を記憶し、電子機器制御装置から、機能単位の情報の伝送の要求を受けたとき、機能単位の情報を電子機器制御装置に伝送し、電子機器制御装置から、自己が所属する機能グループの情報を受けたとき、その機能グループの情報を記憶する。


【手続補正２２】
【補正対象書類名】明細書
【補正対象項目名】００２８
【補正方法】変更
【補正の内容】
【００２８】
請求項１７に記載の電子機器制御装置および請求項１８に記載の電子機器制御方法においては、第１の電子機器は、ネットワークを介して第２の電子機器と通信し、第２の電子機器に対して、第１の電子機器が有する、入力と出力の少なくとも一方を備えた機能単位の情報の伝送を要求し、第２の電子機器からネットワークを介して伝送されてきた機能単位の情報を記憶し、記憶されている機能単位を１以上まとめて機能グループを形成し、形成された機能グループの情報を記憶し、第２の電子機器は、ネットワークを介して第１の電子機器と通信し、自分自身が有する、入力と出力の少なくとも一方を備えた機能単位の情報を記憶し、第１の電子機器から、機能単位の情報の伝送の要求を受けたとき、機能単位の情報を第１の電子機器に伝送し、第１の電子機器から、自己が所属する機能グループの情報を受けたとき、その機能グループの情報を記憶する。例えば、パーソナルコンピュータである第１の電子機器は、ネットワークを介してＡＶ機器である第２の電子機器と通信し、第２の電子機器に対して、第１の電子機器が有する、入力と出力の少なくとも一方を備えた機能単位の情報の伝送を要求し、第２の電子機器からネットワークを介して伝送されてきた機能単位の情報を記憶し、記憶されている機能単位を１以上まとめて機能グループを形成し、形成された機能グループの情報を記憶する。


【手続補正２３】
【補正対象書類名】明細書
【補正対象項目名】００２９
【補正方法】変更
【補正の内容】
【００２９】
請求項１９に記載の電子機器制御装置および請求項２０に記載の電子機器制御方法においては、ネットワークを介して電子機器と通信し、電子機器を同時に複数指定する指定情報を含むコマンドを生成し、生成されたコマンドをネットワークに出力する。例えば、1394ネットワークを介してＡＶ機器である電子機器と通信し、電子機器を同時に複数指定する指定情報を含むコマンドを生成し、生成されたコマンドをネットワークに出力する。


【手続補正２４】
【補正対象書類名】明細書
【補正対象項目名】００３０
【補正方法】変更
【補正の内容】
【００３０】
請求項２１に記載の電子機器および請求項２２に記載の電子機器制御方法においては、ネットワークを介して電子機器制御装置と通信し、電子機器制御装置から、電子機器を同時に複数指定する指定情報を含むコマンドを受信した場合、その指定情報を抽出し、抽出された指定情報によって、自分自身が指定されているか否かを判定し、判定結果に応じて、コマンドに対応する処理を行う。例えば、1394ネットワークを介してパーソナルコンピュータである電子機器制御装置と通信し、電子機器制御装置から、ＡＶ機器である電子機器を同時に複数指定する指定情報を含むコマンドを受信した場合、その指定情報を抽出し、抽出された指定情報によって、自分自身が指定されているか否かを判定し、判定結果に応じて、指定されている場合にはコマンドに対応する処理を行う。


【手続補正２５】
【補正対象書類名】明細書
【補正対象項目名】００３１
【補正方法】変更
【補正の内容】
【００３１】
請求項２３に記載の電子機器制御装置および請求項２４に記載の電子機器制御方法においては、第１の電子機器は、ネットワークを介して第２の電子機器と通信し、第２の電子機器を同時に複数指定する指定情報を含むコマンドを生成し、生成されたコマンドをネットワークに出力し、第２の電子機器は、ネットワークを介して第１の電子機器と通信し、第１の電子機器から、第２の電子機器を同時に複数指定する指定情報を含むコマンドを受信した場合、その指定情報を抽出し、抽出された指定情報によって、自分自身が指定されているか否かを判定し、判定結果に応じて、コマンドに対応する処理を行う。例えば、第１のパーソナルコンピュータである電子機器は、ネットワークを介してＡＶ機器である第２の電子機器と通信し、第２の電子機器を同時に複数指定する指定情報を含むコマンドを生成し、生成されたコマンドをネットワークに出力し、第２の電子機器は、ネットワークを介して第１の電子機器と通信し、第１の電子機器から、第２の電子機器を同時に複数指定する指定情報を含むコマンドを受信した場合、その指定情報を抽出し、抽出された指定情報によって、自分自身が指定されているか否かを判定し、指定されていると判定した場合には、コマンドに対応する処理を行う。


【手続補正２６】
【補正対象書類名】明細書
【補正対象項目名】０１３５
【補正方法】変更
【補正の内容】
【０１３５】
【発明の効果】
請求項１に記載の電子機器制御装置および請求項１１に記載の電子機器制御方法によれば、ネットワークを介して電子機器と通信し、電子機器に対して、電子機器が有する、入力と出力の少なくとも一方を備えた機能単位の情報の伝送を要求し、電子機器からネットワークを介して伝送されてきた機能単位の情報を記憶し、記憶されている機能単位を１以上まとめて機能グループを形成し、形成された機能グループの情報を記憶するようにしたので、機能グループを一括して処理の対象とすることが可能となる。


【手続補正２７】
【補正対象書類名】明細書
【補正対象項目名】０１３６
【補正方法】変更
【補正の内容】
【０１３６】
請求項１２に記載の電子機器および請求項１６に記載の電子機器制御方法によれば、ネットワークを介して電子機器制御装置と通信し、自分自身が有する、入力と出力の少なくとも一方を備えた機能単位の情報を記憶し、電子機器制御装置から、機能単位の情報の伝送の要求を受けたとき、機能単位の情報を電子機器制御装置に伝送し、電子機器制御装置から、自己が所属する機能グループの情報を受けたとき、機能グループの情報を記憶するようにしたので、送信されてきた情報を機能グループ単位で受信して処理を行うことが可能となる。


【手続補正２８】
【補正対象書類名】明細書
【補正対象項目名】０１３７
【補正方法】変更
【補正の内容】
【０１３７】
請求項１７に記載の電子機器制御装置および請求項１８に記載の電子機器制御方法によれば、第１の電子機器は、ネットワークを介して第２の電子機器と通信し、第２の電子機器に対して、第１の電子機器が有する、入力と出力の少なくとも一方を備えた機能単位の情報の伝送を要求し、第２の電子機器からネットワークを介して伝送されてきた機能単位の情報を記憶し、記憶されている機能単位を１以上まとめて機能グループを形成し、形成された機能グループの情報を記憶し、第２の電子機器は、ネットワークを介して第１の電子機器と通信し、自分自身が有する、入力と出力の少なくとも一方を備えた機能単位の情報を記憶し、第１の電子機器から、機能単位の情報の伝送の要求を受けたとき、機能単位の情報を第１の電子機器に伝送し、第１の電子機器から、自己が所属する機能グループの情報を受けたとき、その機能グループの情報を記憶するようにしたので、第１の電子機器制御装置により、第２の電子機器を機能グループ単位で制御することが可能となる。


【手続補正２９】
【補正対象書類名】明細書
【補正対象項目名】０１３８
【補正方法】変更
【補正の内容】
【０１３８】
請求項１９に記載の電子機器制御装置および請求項２０に記載の電子機器制御方法によれば、ネットワークを介して電子機器と通信し、電子機器を同時に複数指定する指定情報を含むコマンドを生成し、生成されたコマンドをネットワークに出力するようにしたので、複数の機器に対して１回だけコマンドを送出することにより、処理を並行して実行させることが可能となる。


【手続補正３０】
【補正対象書類名】明細書
【補正対象項目名】０１３９
【補正方法】変更
【補正の内容】
【０１３９】
請求項２１に記載の電子機器および請求項２２に記載の電子機器制御方法によれば、ネットワークを介して電子機器制御装置と通信し、電子機器制御装置から、電子機器を同時に複数指定する指定情報を含むコマンドを受信した場合、その指定情報を抽出し、抽出された指定情報によって、自分自身が指定されているか否かを判定し、判定結果に応じて、コマンドに対応する処理を行うようにしたので、指定情報に応じて、他の電子機器と同期してコマンドを実行することが可能となる。


【手続補正３１】
【補正対象書類名】明細書
【補正対象項目名】０１４０
【補正方法】変更
【補正の内容】
【０１４０】
請求項２３に記載の電子機器制御装置および請求項２４に記載の電子機器制御方法によれば、第１の電子機器は、ネットワークを介して第２の電子機器と通信し、第２の電子機器を同時に複数指定する指定情報を含むコマンドを生成し、生成されたコマンドをネットワークに出力し、第２の電子機器は、ネットワークを介して第１の電子機器と通信し、第１の電子機器から、第２の電子機器を同時に複数指定する指定情報を含むコマンドを受信した場合、その指定情報を抽出し、抽出された指定情報によって、自分自身が指定されているか否かを判定し、判定結果に応じて、コマンドに対応する処理を行うようにしたので、第１の電子機器において、１回コマンドを送信することにより、複数の第２の電気機器に対して同じ処理を並行して実行させることが可能となる。